(57)【要約】      （修正有）【課題】開封しない限りキャップを容器口部から取外すことができず、開封時にＩＣタグが確実に破壊され、優れたタンパーエビデント性を有する包装容器を提供することである。【解決手段】複合容器蓋において、（ｉ）ストッパーバンド４４とインナーキャップ３０の位置決め用リブ３８による軸方向の係止、(ii)スプリングタブ４７による、オーバーキャップ４０とインナーキャップ３０間の反発力及びインナーキャップ３０の係合との閉栓方向の係合、（iii）係止突部５０と周方向突条３９による軸方向の係合、（iv）突起４６がＩＣタグ１０の一部を破壊すると共に、切り欠き部３６が嵌合して、インナーキャップ３０の開栓方向への回転が可能になると同時に、係止突部５０の係止面が下段の突起４６と係合することによりオーバーキャップ４０の上昇が規制され、オーバーキャップ４０及びインナーキャップ３０が一体に容器口部２０から取外し可能となる。【選択図】図４
2014005036.tif 000002
【特許請求の範囲】
【請求項１】
螺子係合により容器の口部に設けられるインナーキャップ、該インナーキャップに被せて設けられるオーバーキャップ、及びＩＣタグからなる複合容器蓋において、
前記インナーキャップは、頂板と、該頂板周縁から垂下し且つ内面に容器の口部外面と螺子係合する螺条を備えた筒状壁とから成り、該筒状壁の下端には、破断可能な弱化部を介してタンパーエビデントバンドが形成されており、前記頂板上面には、ＩＣタグが取り付けられており、
前記オーバーキャップは、頂壁パネルと、該頂壁パネル周縁から垂下したスカートから成り、前記頂壁パネル下面には、前記ＩＣタグの一部を破断するためのカッターとなる突起が形成されており、
前記ＩＣタグは、少なくともＩＣチップ及び情報送受信用アンテナを備えた樹脂フィルムから成り、
前記インナーキャップの上面の周縁部には、複数個の切り欠き部が形成されていると共に、前記オーバーキャップの頂壁パネル下面には、前記複数個の切り欠き部に嵌合可能な複数個の凸部が形成されており、
前記オーバーキャップの頂壁パネル下面には、オーバーキャップの閉栓方向且つ下方に垂下する少なくとも１個のスプリングタブが形成されていると共に、前記インナーキャップの頂板上面には、オーバーキャップを閉栓方向に回転させたときに、前記スプリングタブの先端と係合可能な係合部が形成されており、
前記オーバーキャップのスカート下端には、開栓に際してスカートから切り離し可能なストッパーバンドが形成されていると共に、前記インナーキャップの筒状壁外面には、インナーキャップの頂板上面とオーバーキャップの頂壁パネルの下面との間に、前記突起がインナーキャップの頂板に取り付けられたＩＣタグに当接することがない距離の間隔が保持されるように、前記ストッパーバンドと係止可能な位置決め用リブが形成されており、
前記オーバーキャップのスカートの内面には、係止突部が形成されていると共に、前記インナーキャップの筒状壁外面には、上下２段の周方向に延びる突条が形成されており、前記ストッパーバンドの切り離し前は、前記係止突部の係止面が上段突条の下面で係止することによりストッパーバンドの上昇が抑制されており、
前記ストッパーバンドが切り離され、前記オーバーキャップを下方に降下させることにより、前記突起がＩＣタグを破壊すると共に、開栓方向への回転の際に、前記オーバーキャップに形成された複数個の凸部とインナーキャップに形成された複数個の切り欠き部が嵌合して、オーバーキャップによるインナーキャップの開栓方向への回転が可能になると同時に、前記係止突部の係止面が下段突条の下面と係合することによりオーバーキャップの上昇が規制され、オーバーキャップ及びインナーキャップが一体に容器口部から取外し可能となることを特徴とする複合容器蓋。
【請求項２】
前記インナーキャップの筒状壁が、該筒状壁の外側に連結部を介して一体に成形された外側筒状壁を有し、該外側筒状壁の上端に前記複数個の切り欠き部が形成されている共に、外側筒状壁の外面に上下２段の周方向突条及びストッパーバンドを係止する位置決め用リブが形成されており、前記オーバーキャップのストッパーバンド内面又はスカート内面に、前記位置決め用リブと係止する係止部が形成され、該ストッパーバンドの下端が少なくとも筒状壁の下端より下方に位置している請求項１記載の複合容器蓋。
【請求項３】
前記ＩＣタグが、開封検出用アンテナ回路を備えており、前記カッターとなる突起は該開封検出用アンテナ回路を破断可能に設けられている請求項１または２の何れかに記載の複合容器蓋。
【請求項４】
口部を備えた容器と、該容器の口部に設けられる外周面に螺子が形成された容器係止部材と、該容器係止部材の螺子と係合するインナーキャップ、該インナーキャップに被せて設けられるオーバーキャップ、及びＩＣタグからなる複合容器蓋とを有する包装容器において、
前記インナーキャップは、頂板と、該頂板周縁から垂下し且つ内面に前記容器係止部材の外面と螺子係合する螺条を備えた筒状壁とからなり、前記頂板上面には、ＩＣタグが取り付けられており、
前記オーバーキャップは、頂壁パネルと、該頂壁パネル周縁から垂下したスカートから成り、前記頂壁パネル下面には、前記ＩＣタグの一部を破断するためのカッターとなる突起が形成されており、
前記ＩＣタグは、少なくともＩＣチップ及び情報送受信用アンテナを備えた樹脂フィルムから成り、
前記インナーキャップの上面の周縁部には、複数個の切り欠き部が形成されていると共に、前記オーバーキャップの頂壁パネル下面には、前記複数個の切り欠き部に嵌合可能な複数個の凸部が形成されており、
前記オーバーキャップの頂壁パネル下面には、オーバーキャップの閉栓方向且つ下方に垂下する少なくとも１個のスプリングタブが形成されていると共に、前記インナーキャップの頂板上面には、オーバーキャップを閉栓方向に回転させたときに、前記スプリングタブの先端と係合可能な係合部が形成されており、
前記容器係止部材は、円形の天面と該天面の周縁部から垂下する側壁とからなり、該側壁の外面には螺条が形成され、該容器係止部材は天面の中心を通り軸方向に延びる平面により切り離された２部材から形成されており、
前記オーバーキャップのスカート下端には、開栓に際してスカートから切り離し可能なストッパーバンドが形成されていると共に、前記容器係止部材の側壁外面またはインナーキャップの筒状壁外面には、インナーキャップの頂板上面とオーバーキャップの頂壁パネルの下面との間に、前記突起がインナーキャップの頂板に取り付けられたＩＣタグに当接することがない距離の間隔が保持されるように、前記ストッパーバンドと係止可能な位置決め用リブが形成されており、
前記オーバーキャップのスカートの内面には、係止突部が形成されていると共に、前記インナーキャップの筒状壁外面には、上下２段の周方向に延びる突条が形成されており、前記ストッパーバンドの切り離し前は、前記係止突部の係止面が上段突条の下面で係止することによりストッパーバンドの上昇が抑制されており、
前記ストッパーバンドが切り離され、前記オーバーキャップを下方に降下させることにより、前記突起がＩＣタグを破壊すると共に、開栓方向への回転の際に、前記オーバーキャップに形成された複数個の凸部とインナーキャップに形成された複数個の切り欠き部が嵌合して、オーバーキャップによるインナーキャップの開栓方向への回転が可能になると同時に、前記係止突部の係止面が下段の突起の下面と係合することによりオーバーキャップの上昇が規制され、オーバーキャップ及びインナーキャップが一体に容器口部から取外し可能となることを特徴とする包装容器。
【請求項５】
前記ＩＣタグが、開封検出用アンテナ回路を備えており、前記カッターとなる突起は該開封検出用アンテナ回路を破断可能に設けられている請求項４に記載の包装容器。
【発明の詳細な説明】
【技術分野】
【０００１】
本発明は、ＩＣタグを備えて成る複合容器蓋及び包装容器に関するものであり、より詳細には、開封時にＩＣタグが確実に破断され、優れた開封明示機能及び品質保証機能を有する複合容器蓋及び包装容器に関する。
【背景技術】
【０００２】
従来、各種の製品には、製造年月日、製造・販売者名、使用期限などの製品情報を表示したバーコードが広く利用されている。ところで、バーコードは、コード化された情報をリーダーで読取るため、バーコードの印刷面を平面とする必要があり、このため、ボトルやキャップなどの包装材料の分野では、バーコードの印刷面が制限され、また、コード化できる情報量も限られたものとなってしまうという問題がある。
【０００３】
そこで、最近では、ＩＣタグを用いた情報表示の技術が利用されるようになってきた。ＩＣタグとは、ＲＦＩＤ(Radio  Frequency  Identification)とも呼ばれるものであり、所定の情報が記憶されたＩＣチップを無線アンテナと共に樹脂やガラス等の誘電体材料に埋め込んでタグ（荷札）状に形成した超小型の通信端末である。このようなＩＣタグは、無線通信により、ＩＣチップに記憶された製品情報を読取るものであり、例えばＩＣチップのメモリには、数百バイトのデータを記録することができ、多くの製品情報を記録できるという利点がある。また、ＩＣタグは、非接触で記録された情報を読取ることができ、接触による摩耗などの問題もなく、さらには、商品の形態に併せた形状に加工したり、小型化、薄型化なども可能であるという利点がある。
例えば、特許文献１には、頂板にＩＣタグが埋め込まれたキャップが開示されている。
【０００４】
このようなＩＣタグを、容器の開封履歴の表示のために使用することも提案されており、例えば、特許文献２には、容器口部に設けられるキャップにＩＣタグが設けられ、キャップを開封したとき、ＩＣタグ中のＩＣチップとアンテナとを結ぶリード線が断線することにより、開封を検出する方法が提案されている。
また、特許文献３には、容器口部に装着されるキャップ本体に連結された上蓋を開封した時、キャップ本体に設けられているアンテナが破断され、これにより、開封の事実を認識できることが開示されている。
【先行技術文献】
【特許文献】
【０００５】
【特許文献１】特開２００５−３２１９３５号公報
【特許文献２】特許４０４７８２１号公報
【特許文献３】特開２０１１−２１３３７８号公報
【発明の概要】
【発明が解決しようとする課題】
【０００６】
上記特許文献２及び３に記載されたキャップにおいては、キャップ（上蓋）を開封すればＩＣタグが破壊され、容器の開封の事実を認識することが可能であるが、ＩＣタグはキャップを開封しない限り破壊されないことから、キャップを開封することなくキャップ全体を容器口部から取り除くことができれば、ＩＣタグを破壊することなく、内容物を入れ替えて、再キャップすることが可能になる場合もあり、偽造販売や悪質ないたずら等に対処するには未だ充分満足するものではなかった。
従って本発明の目的は、開封しない限りキャップを容器口部から取外すことができず、開封時にＩＣタグのアンテナ回路が確実に破断され通信不可能になるか或いは破断されたことが通信情報として読み取れることで、優れた開封明示機能及び品質保証機能を有する複合容器蓋及び包装容器を提供することである。
【課題を解決するための手段】
【０００７】
本発明によれば、螺子係合により容器の口部に設けられるインナーキャップ、該インナーキャップに被せて設けられるオーバーキャップ、及びＩＣタグからなる複合容器蓋において、
前記インナーキャップは、頂板と、該頂板周縁から垂下し且つ内面に容器の口部外面と螺子係合する螺条を備えた筒状壁とから成り、該筒状壁の下端には、破断可能な弱化部を介してタンパーエビデントバンドが形成されており、前記頂板上面には、ＩＣタグが取り付けられており、
前記オーバーキャップは、頂壁パネルと、該頂壁パネル周縁から垂下したスカートから成り、前記頂壁パネル下面には、前記ＩＣタグの一部を破断するためのカッターとなる突起が形成されており、
前記ＩＣタグは、少なくともＩＣチップ及び情報送受信用アンテナを備えた樹脂フィルムから成り、
前記インナーキャップの上面の周縁部には、複数個の切り欠き部が形成されていると共に、前記オーバーキャップの頂壁パネル下面には、前記複数個の切り欠き部に嵌合可能な複数個の凸部が形成されており、
前記オーバーキャップの頂壁パネル下面には、オーバーキャップの閉栓方向且つ下方に垂下する少なくとも１個のスプリングタブが形成されていると共に、前記インナーキャップの頂板上面には、オーバーキャップを閉栓方向に回転させたときに、前記スプリングタブの先端と係合可能な係合部が形成されており、
前記オーバーキャップのスカート下端には、開栓に際してスカートから切り離し可能なストッパーバンドが形成されていると共に、前記インナーキャップの筒状壁外面には、インナーキャップの頂板上面とオーバーキャップの頂壁パネルの下面との間に、前記突起がインナーキャップの頂板に取り付けられたＩＣタグに当接することがない距離の間隔が保持されるように、前記ストッパーバンドと係止可能な位置決め用リブが形成されており、
前記オーバーキャップのスカートの内面には、係止突部が形成されていると共に、前記インナーキャップの筒状壁外面には、上下２段の周方向に延びる突条が形成されており、前記ストッパーバンドの切り離し前は、前記係止突部の係止面が上段突条の下面で係止することによりストッパーバンドの上昇が抑制されており、
前記ストッパーバンドが切り離され、前記オーバーキャップを下方に降下させることにより、前記突起がＩＣタグを破壊すると共に、開栓方向への回転の際に、前記オーバーキャップに形成された複数個の凸部とインナーキャップに形成された複数個の切り欠き部が嵌合して、オーバーキャップによるインナーキャップの開栓方向への回転が可能になると同時に、前記係止突部の係止面が下段突条の下面と係合することによりオーバーキャップの上昇が規制され、オーバーキャップ及びインナーキャップが一体に容器口部から取外し可能となることを特徴とする複合容器蓋が提供される。
【０００８】
本発明の複合容器蓋においては、
１．インナーキャップの筒状壁が、該筒状壁の外側に連結部を介して一体に成形された外側筒状壁を有し、該外側筒状壁の上端に前記複数個の切り欠き部が形成されている共に、外側筒状壁の外面に上下２段の周方向突条及びストッパーバンドを係止する位置決め用リブが形成されており、前記オーバーキャップのストッパーバンド内面又はスカート内面に、前記位置決め用リブと係止する係止部が形成され、該ストッパーバンドの下端が少なくとも筒状壁の下端より下方に位置していること、
２．ＩＣタグが、開封検出用アンテナ回路を備えており、前記カッターとなる突起は該開封検出用アンテナ回路を破断可能に設けられていること、
が好適である。
【０００９】
更に、本発明の包装容器によれば、口部を備えた容器と、該容器の口部に設けられる外周面に螺子が形成された容器係止部材と、該容器係止部材の螺子と係合するインナーキャップ、該インナーキャップに被せて設けられるオーバーキャップ、及びＩＣタグからなる複合容器蓋とを有する包装容器において、
前記インナーキャップは、頂板と、該頂板周縁から垂下し且つ内面に前記容器係止部材の外面と螺子係合する螺条を備えた筒状壁とからなり、前記頂板上面には、ＩＣタグが取り付けられており、
前記オーバーキャップは、頂壁パネルと、該頂壁パネル周縁から垂下したスカートから成り、前記頂壁パネル下面には、前記ＩＣタグの一部を破断するためのカッターとなる突起が形成されており、
前記ＩＣタグは、少なくともＩＣチップ及び情報送受信用アンテナを備えた樹脂フィルムから成り、
前記インナーキャップの頂板上面の周縁部には、複数個の切り欠き部が形成されていると共に、前記オーバーキャップの頂壁パネル下面には、前記複数個の切り欠き部に嵌合可能な複数個の凸部が形成されており、
前記オーバーキャップの頂壁パネル下面には、オーバーキャップの閉栓方向且つ下方に垂下する少なくとも１個のスプリングタブが形成されていると共に、前記インナーキャップの頂板上面には、オーバーキャップを閉栓方向に回転させたときに、前記スプリングタブの先端と係合可能な係合部が形成されており、
前記容器係止部材は、円形の天面と該天面の周縁部から垂下する側壁とからなり、該側壁の外面には螺条が形成され、該容器係止部材は天面の中心を通り軸方向に延びる平面により切り離された２部材から形成されており、
前記オーバーキャップのスカート下端には、開栓に際してスカートから切り離し可能なストッパーバンドが形成されていると共に、前記容器係止部材の側壁外面またはインナーキャップの筒状壁外面には、インナーキャップの頂板上面とオーバーキャップの頂壁パネルの下面との間に、前記突起がインナーキャップの頂板に取り付けられたＩＣタグに当接することがない距離の間隔が保持されるように、前記ストッパーバンドと係止可能な位置決め用リブが形成されており、
前記オーバーキャップのスカートの内面には、係止突部が形成されていると共に、前記インナーキャップの筒状壁外面には、上下２段の周方向に延びる突条が形成されており、前記ストッパーバンドの切り離し前は、前記係止突部の係止面が上段突条の下面で係止することによりストッパーバンドの上昇が抑制されており、
前記ストッパーバンドが切り離され、前記オーバーキャップを下方に降下させることにより、前記突起がＩＣタグを破壊すると共に、開栓方向への回転の際に、前記オーバーキャップに形成された複数個の凸部とインナーキャップに形成された複数個の切り欠き部が嵌合して、オーバーキャップによるインナーキャップの開栓方向への回転が可能になると同時に、前記係止突部の係止面が下段の突起の下面と係合することによりオーバーキャップの上昇が規制され、オーバーキャップ及びインナーキャップが一体に容器口部から取外し可能となることを特徴とする包装容器が提供される。
【００１０】
本発明の包装容器においては、ＩＣタグが、開封検出用アンテナ回路を備えており、前記カッターとなる突起は該開封検出用アンテナ回路を破断可能に設けられていること、が好適である。
【発明の効果】
【００１１】
本発明の複合容器蓋及び包装容器においては、ＩＣタグの一部の回路を破壊することなく、複合容器蓋を容器口部から取外すことができないため、確実に開封履歴を明示することができ、内容物の詰め替え等の悪質ないたずらや偽造販売を有効に防止でき、優れた内容物の品質保証機能を有している。
またＩＣタグの破損のおそれなく、複合容器蓋を容器口部に装着することができ、キャッピング性にも優れている。
更にオーバーキャップの回転が確実にインナーキャップに伝達されるため、複合容器蓋全体が一体となってスムーズに回転するため、リシール性にも優れている。
またインナーキャップの筒状壁に外側筒状壁を更に設け、オーバーキャップでインナーキャップ全体を覆うようにすることによって、インナーキャップに外側から触れることが困難であることから、インナーキャップに何らかの操作を加えて、複合容器蓋全体を容器口部からすっぽ抜けさせることを更に有効に防止できる。
更にまた、容器口部に既存のキャップが装着された容器口部の形状に対応した容器係止部材を容器口部に固定することによって、内容物が充填され且つ口部にキャップが装着されている既存の包装容器にも効果的に適用することが可能になり、携帯電話等を用いての開封確認を行うことができ、また、各種キャンペーンや懸賞の応募に極めて効果的に使用できる。
【００１２】
本発明の複合容器蓋及び包装容器においては、ＩＣタグとして、ＩＣチップ及び情報送受信用アンテナと共に、容器の開封を示すための専用の回路（開封検出用アンテナ回路）が設けられたものを使用することにより、開封に際しては、開封検出用アンテナ回路が破断され、この回路の破断に伴って生じる電気抵抗変化に付随する電圧変化などを外部読み取り装置で読み取り、開封の事実を知ることができ、開封された場合においても、ＩＣチップに記憶された情報は、そのまま読み取ることができるため、ＩＣチップの故障と開封とを明確に区別とができ、極めて優れた開封明示機能を示す。この結果、内容物の入れ替えやいたずらなどの不正使用を有効に防止でき、内容物の品質保証機能が格段と向上する。更に、開封後にもＩＣチップの情報を読み取ることができ、このような情報の読み取りが携帯電話でも可能であることから、各種キャンペーンの応募などにも有効に利用できる。
【図面の簡単な説明】
【００１３】
【図１】本発明の複合容器蓋のインナーキャップの一例の平面図（Ａ）、下面図（Ｂ）、正面図（Ｃ）。
【図２】本発明の複合容器蓋のオーバーキャップの一例の平面図（Ａ）及び断面図（Ｂ）。
【図３】図２に示すオーバーキャップの側面図（Ａ）及び断面図（Ｂ）。
【図４】本発明の複合容器蓋の一例の開封前の状態を示す断面図。
【図５】図４に示す複合容器蓋においてストッパーバンドが取外された状態を示す断面図。
【図６】図４に示す複合容器蓋においてオーバーキャップを回転させた状態を示す断面図。
【図７】本発明の複合容器蓋の他の一例の開封前の状態を示す断面図。
【図８】図７に示す複合容器蓋においてストッパーバンドが取外された状態を示す断面図。
【図９】図７に示す複合容器蓋においてオーバーキャップを回転させた状態を示す断面図。
【図１０】図７に示す複合容器蓋のインナーキャップの斜視図。
【図１１】本発明の包装容器の開封前の状態を示す断面図。
【図１２】図１１に示す包装容器においてストッパーバンドが取外された状態を示す断面図。
【図１３】図１１に示す包装容器においてオーバーキャップを回転させた状態を示す断面図。
【図１４】本発明の包装容器に取り付けられるＩＣタグの斜視図。
【発明を実施するための形態】
【００１４】
本発明の包装容器を添付図面に基づいて説明する。
図１乃至図６に示す本発明の包装容器の一例においては、ボトル等の容器の口部(全体として２０で示す）に、螺子係合によりインナーキャップ（全体として３０で示す）が装着されており、このインナーキャップ３０の上に、オーバーキャップ（全体として４０で示す）が被せられている。
容器口部２０の外面には、上方に螺条２１が形成され、その下方に顎部２３が形成されている。このような容器口部２０の外面は、タイプの異なる他の包装容器でも基本的には同じである。尚、図４乃至図６に示す容器口部への適用例においては、容器口部先端には、容器開口を覆うようにシール部材２２が施され、容器内部の密封性を保持しているが、インナーキャップ３０の頂板３１の下面周縁部分に、インナーリングを設けることによって、容器口部の内周面や外周面に密着し、容器内部の密封性を保持することもできる。
【００１５】
インナーキャップ３０は、図１及び図４から明らかなように、頂板３１と、頂板周縁から降下している筒状壁３２とを有しており、筒状壁３２の内面には、螺条３３が設けられている。即ち、この螺条３３と容器口部２０の外面の螺条２１との螺子係合により、インナーキャップ３０は、容器口部２０に保持されている。
また、上記の筒状壁３２の下端には、インナーキャップの開封履歴を示すためのタンパーエビデントバンド３４が、破断可能な弱化部３５を介して筒状壁３２と一体に設けられている。すなわち、このタンパーエビデントバンド３４は、図４に示されているように、容器口部２０の外面の顎部２３の下側にまで延びており、その内面には、顎部２３の下側の面と係合する係合突起（或いはフラップ片）３４ａが形成されている。
【００１６】
インナーキャップ３０の頂板３１の上面には、その中心部分に、後述するオーバーキャップの突起を受け入れ可能な凹部３１ａが形成されており、上面には、図４に示されているように、凹部３１ａを覆うようにＩＣタグ１０が取り付けられている。ＩＣタグ１０は図に示すように、頂板３１上に接着剤或いはヒートシール等によって載置されていてもよいが、頂板３１に嵌め込まれていてもよい。
また、頂板３１の上面の周縁部分には、ＩＣタグ１０が取り付けられた頂板３１を取り囲むように、筒状壁３２が上方に延びており、この筒状壁３２の上端には切り欠き部３６，３６・・・が等間隔に複数個形成されている。また頂板３１に取り付けられたＩＣタグ１０の位置よりも外側の位置には、後述するオーバーキャップのスプリングタブの先端を係合可能な係合部３７，３７・・・が形成されている。
更に、インナーキャップ３０の筒状壁３２の外面下方には、図４に示すように、後述するオーバーキャップに形成されるストッパーバンドを係止可能な周方向に延びる位置決め用リブ３８が外方に突出して形成されている。これによりインナーキャップの頂板３１に設けられたＩＣタグの上面とオーバーキャップの頂壁パネルの下面との間に、ＩＣタグ破壊のためにオーバーキャップに形成されるカッターとなる突起が、ＩＣタグに当接することがない距離の間隔が保持される。
【００１７】
インナーキャップ３０の筒状壁３２の外面上方には、図１（Ｂ）及び図４に示すように、後述する、オーバーキャップの係止突部と係合する上下２段の周方向に延びる突条３９ａ，３９ｂが形成されている。この上段突条３９ａ及び下段突条３９ｂの下面３９ａ１，３９ｂ１は、係止突部の係止面と係合可能であり、閉栓状態では、係止突部が上段突条３９ａと係止可能であり、オーバーキャップを下降させると、係止突部は下段突条３９ｂを乗り越え、下段突条３９ｂの下面３９ｂ１と係止可能になる。このようにオーバーキャップがインナーキャップから取り外せない状態となっている。この際、図に示す具体例では下段突条３９ｂの上面には、下方に行くに従ってインナーキャップの外径を増加させる傾斜面３９ｂ２が形成されており、係止突部が下段突条３９ｂを容易に乗り越えるようになっている。
【００１８】
図２乃至６に示されるように、上述したインナーキャップ３０に被せて固定されるオーバーキャップ４０は、頂壁パネル４１と、頂壁パネル４１の周縁から降下したスカート４２とを有している。
またスカート４２の下端には、弱化部４３を介してストッパーバンド４４がスカート４２と一体に成形されており、このストッパーバンド４４には、弱化部４３を破断するための摘み部４５が形成されている。尚、このストッパーバンド４４には、弱化部４３に連続する縦方向弱化部４５ａが摘み部４５の付け根近傍に形成されている。
【００１９】
オーバーキャップ４０の頂壁パネル４１の内面中央には、ＩＣタグを破壊するためのカッターとなる先端が鋭利な突起４６が形成されている。またこの突起４６を取り囲むように、頂壁パネル４１の下面から閉栓方向且つ下方に垂下するスプリングタブ４７，４７・・・が４つ形成されている。このスプリングタブ４７は、オーバーキャップ及びインナーキャップの間に軸方向の反発力を付与してオーバーキャップ４０とインナーキャップ３０の間にがたつきが生じることを防止すると共に、オーバーキャップ４０を閉栓方向に回転させると、スプリングタブ４７の先端がインナーキャップ３０の係合部３７，３７・・・と係合することから、インナーキャップ３０及びオーバーキャップ４０を一体に容器口部にキャッピングすることが可能になる。
またオーバーキャップ４０の頂壁パネル４１の下面周縁部には、オーバーキャップ４０を降下させると、前述したインナーキャップ３０の切り欠き部３６，３６・・・に嵌合可能な凸部４８，４８・・・が形成されている。この凸部４８，４８・・・が、インナーキャップ３０の切り欠き部３６，３６・・・に嵌合することにより、オーバーキャップ４０の回転によってインナーキャップ３０をオーバーキャップと共に回転させることが可能となる。
また、スカート４２の外面には、オーバーキャップ４０の回転を容易にするためのローレット４９が形成されている。
【００２０】
オーバーキャップ４０のスカート４２の内面には、前述したインナーキャップ３０の上下２段の周方向突条３９ａ，３９ｂと係合可能な、周状の係止突部５０が形成されている。
図４に示すようにオーバーキャップに形成される突起４６が、インナーキャップ３０の頂板３１に設けられたＩＣタグ１０に当接することがないように、オーバーキャップ４０の頂壁パネル４１の下面とインナーキャップの頂板とが間隔を有している状態においては、オーバーキャップがスプリングタブ４７によって上方に付勢され、係止突部５０がインナーキャップ３０の上段突条３９ａと係合しているのであり、図６に示すように突起４６が、ＩＣタグ１０のアンテナ回路を破断しているオーバーキャップの降下位置においては、係止突部５０がインナーキャップ３０の下段突条３９ｂと係合しているのである。
またこの係止突部５０は、上面に係止面及び下面に下方に行くに従ってオーバーキャップの内径が増加するテーパ面を有することにより、オーバーキャップ４０の上方への移動を規制すると共に、オーバーキャップの降下を容易にすることが可能となる。
【００２１】
本発明の複合容器蓋においては、上述したインナーキャップ３０にオーバーキャップ４０を被せた状態で容器口部にキャッピングするが、前述した通り、オーバーキャップ４０及びインナーキャップ３０は、スプリングタブ４７と係合部３７が閉栓方向に係合することから、両者を一体に容器口部にキャッピングすることが可能である。
また図４に示すように、閉栓状態では、インナーキャップの頂板上面とオーバーキャップの頂壁パネルの下面との間に、突起４６がＩＣタグに当接することがない間隔が保持されるように、ストッパーバンド４４の下端と位置決め用リブ３８の係止により、オーバーキャップ４０のインナーキャップ３０に対する下限位置が制御され、スプリングタブ４７による弾性力と、オーバーキャップ４０の係止突部５０とインナーキャップ３０の上段突条３９ａの係合によって、オーバーキャップ４０とインナーキャップ３０のがたつきを防止すると共にオーバーキャップ４０の上方への移動を規制する。
【００２２】
本発明の複合容器蓋の開封操作を説明する図５及び図６に示すように、ストッパーバンド４４をオーバーキャップ４０から取外すことにより、オーバーキャップ４０を上方から押圧することが可能になる（図５）。次いでオーバーキャップ４０を押圧し、下降させると、突起４６によってＩＣタグ１０のアンテナ回路が破壊されると共に、係止突部５０と下段突条３９ｂが係合して、この状態が保持される。また同時に、インナーキャップ３０の切り欠き部３６，３６・・・にオーバーキャップ４０の凸部４８が嵌合することによって、オーバーキャップ４０とインナーキャップ３０は互いに周方向に規制されることになり、インナーキャップ３０はオーバーキャップ４０の回転に従属するようになる。オーバーキャップ４０を開栓方向に回すとインナーキャップ３０はオーバーキャップ４０と一体となって回転して、容器口部２０から取外すことが可能になる。この際、インナーキャップ３０の上昇により、タンパーエビデントバンド３４を筒状壁３２に接続する弱化部３５が破断され、タンパーエビデントバンド３４は容器口部に取り残され、ＩＣタグのアンテナ回路の破壊と共に一旦開封されたものであることを明示する。
【００２３】
このようにして容器口部２０から取り外されたインナーキャップ３０及びオーバーキャップ４０は、インナーキャップ３０にオーバーキャップ４０が被せられたまま、容器口部２０に装着してリシールに供することができる。
またインナーキャップ３０にタンパーエビデントバンド３４が形成されていることから、オーバーキャップ４０のストッパーバンド４４を切り離すことなく、オーバーキャップ４０及びインナーキャップ３０が図４に示す状態を維持したまま、すなわちＩＣタグのアンテナ回路を破壊することなく、キャップ全体を容器口部から取り除くことができないので、内容物を入れ替えるような、悪質な偽造販売やいたずら等に対処することが可能になる。
【００２４】
本発明の包装容器においては、前述したように、（ｉ）オーバーキャップのストッパーバンドとインナーキャップの位置決め用リブによる軸方向の係止、(ii)オーバーキャップのスプリングタブによる、オーバーキャップとインナーキャップ間の反発力及びインナーキャップとの係合による複合容器蓋の閉栓、（iii）係止突部と上下２段の周方向突条による軸方向の係合、（iv）オーバーキャップの凸部とインナーキャップの切り欠き部による周方向の係合、が確保されている限り種々の変更が可能である。
例えば、図７乃至１０に示す本発明の包装容器の他の態様においては、オーバーキャップがインナーキャップを完全に覆うことができるように変更されている。
【００２５】
すなわち、インナーキャップ３０の筒状壁３２の外側には、破断不可能な連結部３０１を介して一体に成形された外側筒状壁３０２が形成されている。この外側筒状壁３０２の下端は、筒状壁３２の下端とほぼ同じ位置にあり、オーバーキャップ４０のストッパーバンド４４の下端は、筒状壁３２の下端より下方に位置しており、この実施態様では更にインナーキャップのタンパーエビデントバンド３４の下端よりも下方に位置する。従って、オーバーキャップ４０がインナーキャップ３０を完全に覆っており、インナーキャップは外部から触ることができないことから、インナーキャップ３０に何らかの操作を加え、複合容器蓋全体を容器口部から取外せる可能性がなく、内容物の入れ替え後に再び複合容器蓋を再シールして販売するような不正使用を確実に防止することができる。尚、ストッパーバンド４４の下端が、筒状壁３２の下端より下方に位置していても、不正使用の防止には有効である。
尚、この態様においてはオーバーキャップがインナーキャップを完全に覆うことができればよく、筒状壁の肉厚を大きくできれば、外側筒状壁を筒状壁の間に存在する空隙３０３は必ずしも必要ではないが、使用樹脂量を低減させる観点から肉抜きにより空隙を形成することが好適である。また図１０に示すように、筒状壁３２と外側側壁３０２を連結する破断不可能な連結部３０１は、複数個所（図１０では４箇所）で均一に両者を連結しており、図に示す具体例では、連結部３０１が形成されている箇所に、スプリングバンド４７と閉栓方向に係合する係合部３７,３７・・・が形成されている。
【００２６】
この態様においては、外側筒状壁３０２の上端には切り欠き部３６０が、筒状壁３２に形成される代わりに形成されている。
また外側筒状壁３０２の外面には係止突部５０と係合する上下２段の周方向の突条３９０ａ、３９０ｂ、及びストッパーバンド４４を係止する位置決め用リブ３８０が形成されている。
一方、オーバーキャップ４０のストッパーバンド４４の内面上部には、外側筒状壁３０２の下端に形成された位置決め用リブ３８０と係止し、オーバーキャップ４０の下降を規制するための係止部４４０が形成されている。
【００２７】
この態様の包装容器の開封操作を説明するための図８及び９に示すように、ストッパーバンド４４をオーバーキャップ４０から取外すことにより、オーバーキャップ４０を上方から押圧することが可能になる（図８）。次いでオーバーキャップ４０を押圧し、下降させると、突起４６によってＩＣタグ１０のアンテナ回路が破壊されると共に、係止突部５０の上面と下段突条３９０ｂの下面が係合すると同時に、インナーキャップ３０の切り欠き部３６０，３６０・・・にオーバーキャップ４０の凸部４８が嵌合し、インナーキャップ３０はオーバーキャップ４０の回転に従属するようになる。尚、押圧されたオーバーキャップ４０は、係止突部５０と下段突条３９０ｂによって上方への移動が規制されると共に、オーバーキャップ４０の頂壁パネル４１の内面に外側筒状壁３０２の上端が当接することによって下方への移動が規制され、図９に示す状態が保持される。
【００２８】
オーバーキャップ４０を開栓方向に回すと、外側筒状壁３０２は、連結部３０１で筒状壁３２に強固に連結されているので、オーバーキャップ４０の回転は筒状壁３２に確実に伝達されることから、インナーキャップ３０はオーバーキャップ４０と一体となって回転して、容器口部２０から取外すことが可能になる。この際、インナーキャップ３０の上昇により、タンパーエビデントバンド３４を筒状壁３２に接続する弱化部３５が破断され、タンパーエビデントバンド３４は容器口部に取り残され、複合容器蓋がＩＣタグのアンテナ回路の破壊と共に一旦開封されたものであることを明示する。
【００２９】
上述した本発明の複合容器蓋は、図１１乃至１３に示すように、内容物が充填され且つ口部にキャップ１００が装着されている既存の包装容器にも効果的に適用することができる。
この態様においては、基本構造は図１乃至６と同様であるが、インナーキャップ３０とオーバーキャップ４０からなる複合容器蓋が、容器口部２０（既存のキャップ１００が巻き締められた容器口部）に対応する外面を有する容器係止部材１１０，１１０に螺子係合する点が重要な特徴である。この容器係止部材１１０，１１０は、円形の天面１１４と天面１１４の周縁部から垂下する側壁１１５とからなり、側壁１１５の外面にはインナーキャップ３０の筒状壁３２が螺子係合するように螺条１１１が形成され、容器係止部材１１０は天面１１０の中心を通り軸方向に延びる平面により切り離された２部材から形成されている。
また容器係止部材１１０，１１０の下方外面には、図１１に示すように、オーバーキャップ４０のストッパーバンド４４が切り離される前は、ストッパーバンド４４の係止部である段差部４４０と係合する位置決め用リブ１１２が形成されている。尚、この位置決め用リブ１１２は、容器係止部材１１０，１１０の外面に形成される代わりに筒状壁３２の外面に設けることもできる。
【００３０】
キャップ１００が装着されている既存の包装容器１０５のノズル部に、これを取り囲むように、キャップ１００が装着された容器口部２０に対応する外面を有する容器係止部材１１０，１１０を嵌め込む。この時、容器口部に巻き締められたキャップの裾部に係止するように側壁１１５の外面下方には内方に突出する係合突部１１３が形成されている。この状態で、前述したインナーキャップ３０とオーバーキャップ４０からなる複合容器蓋を設けることにより、本発明を既存の包装容器１０５に適用することが可能となる。
この場合、インナーキャップ３０及びオーバーキャップ４０を前述した方法で除去した後、容器係止部材１１０，１１０を取り外し、さらに、キャップ１００を常法にしたがって取り外すことにより、容器内容物を取り出すことができる。
【００３１】
本発明の複合容器蓋に用いる、インナーキャップやオーバーキャップは、熱可塑性樹脂の圧縮成形、射出成形等により製造されるものであり、このような熱可塑性樹脂としては、ポリエチレン、ポリプロピレン、エチレン−プロピレン共重合体、ポリブテン−１、エチレン−ブテン−１共重合体、プロピレン−ブテン−１共重合体、エチレン−酢酸ビニル共重合体等のオレフィン系樹脂や、ポリスチレン、スチレン−ブタジエン共重合体、ＡＢＳ樹脂或いはポリカーボネート等が使用される。
【００３２】
本発明で用いるＩＣタグは、少なくともＩＣチップ及び情報送受信用アンテナを備えて成り、ＩＣタグ中のＩＣチップとアンテナが断線することにより、開封を検出することができるものでもあってもよいが、前述した通り、好適には、開封検出用アンテナ回路を更に備えているものを用いることが好適である。
これにより、前述した図１乃至６に示した包装容器において、インナーキャップ３０が一旦容器口部２０から取り外されて容器が開封されると、オーバーキャップ４０に設けられているＩＣタグ１０中の開封検出用アンテナ回路９が破断するが、ＩＣチップ３やアンテナ５及びリード線７は破壊されていないため、外部読み取り装置によってＩＣチップ３に入力されている情報を読み取ることができ、この情報の中には、開封検出用アンテナ回路が破断されているという情報も含まれる。
従って、インナーキャップ３０にオーバーキャップ４０が被せられたまま、容器口部２０に装着してリシールされていた場合にも、一般の需要者は、例えば携帯電話などを用いてＩＣチップ３の情報を読み取ることにより、開封されたことの事実を正確に読み取り、認識することができる。或いは、アンテナ５やリード線７或いは開封検出用アンテナ回路９等が破断されて、一般需要者がＩＣタグ１０の情報を読み取ることができない場合に、開封されたことの事実を正確に認識することができる。このことから、このような包装体は、いたずら防止機能に優れ、また内容物入れ替えなどの不正使用も、開封事実を認識することにより有効に防止することができる。
【００３３】
本発明において、特に好適に用いられるＩＣタグを示す図１３において、全体として１０で示すこのＩＣタグは、樹脂フィルム１の表面にＩＣチップ３及び金属アンテナ５が設けられており、金属アンテナ５は、リード線７により、ＩＣチップ３に電気的に接続されている。
本発明においては、好適には、さらに、このＩＣタグ１０には、開封検出用アンテナ回路９が設けられており、この開封検出用アンテナ回路９もリード線７を介してＩＣチップ３に接続されている。
【００３４】
樹脂フィルム１は、一般に熱溶着可能な熱可塑性樹脂から形成されている。このような熱可塑性樹脂としては特に制限されないが、一般には。このＩＣタグ１０が取り付けられるオーバーキャップやインナーキャップ（これらのキャップについては後述する）を構成する樹脂基材と同様の樹脂が使用される。例えば、ポリオレフィン製のキャップにＩＣタグ１０を設ける場合には、ポリオレフィンによりフィルム１を形成するのがよい。また、ＩＣチップ３や金属アンテナ５がポリエチレンテレフタレート樹脂フィルムに設けられた状態で市販されているＩＣタグ１０もあるが、このような場合には、適宜、酸変性オレフィン系樹脂などの接着剤を用いて、ポリエチレンテレフタレート樹脂フィルム１の裏面にポリエチレンやポリプロピレン等のポリオレフィン樹脂層を積層させておくことが、キャップにＩＣタグ１０を取り付ける上で好ましい。
【００３５】
ＩＣチップ３は、フリップチップ実装などにより、上記のアンテナ５に導通するように設けられるものであり、このＩＣタグ１０が取り付けられる製品に関する情報が記憶されるものであり、上記のアンテナ５を介しての信号の送信により、所定の情報が記憶され、またアンテナ５を介してＩＣタグ１０に記憶された情報が読み取られるものである。
尚、上記のＩＣチップ３は、一般に、ポリイミド、ビスマレイミド樹脂などの電気絶縁性の硬化樹脂等により、封止されて保護されている。
【００３６】
このようなＩＣチップ３には、既に述べた通り、包装容器に充填されている内容物に関する情報（例えば生産者、製造業者、生産年月日、出荷日時など）や容器に関する情報などが入力されており、開封を示す電圧変化などの情報も入力されている。このような情報の入力や出力は、高周波信号により行われ、現在では、一般にＵＨＦ帯（８６０〜９６０ＭＨｚ）と１３．５６ＭＨｚの２つの周波数帯が主に使用されるようになっている。
【００３７】
ＩＣチップ３への信号の送受信のために使用されるアンテナ５は、使用される信号の周波数に応じた共振長さなどを有する。
また、開封検出用アンテナ回路９は、これが切断したときの抵抗変化によりＩＣチップ３での電圧変化などをもたらすものであればよい。
上記のようなアンテナ５や開封検出用アンテナ回路９、及びこれらをＩＣチップ３に接続するリード線７は、通常、アルミニウム、銅、銀、金などの低抵抗金属の薄膜（厚みが５乃至５０μｍ程度）からなる。
【００３８】
尚、樹脂フィルム１の厚みは、その表面にＩＣチップ３を実装する作業やアンテナ５、開封検出用アンテナ回路９及びリード線７を形成するためのメッキ作業などを行い得る程度の強度を示すようなものであればよく、後述するキャップへの装着形態に応じて適宜の厚みとすることができる。例えば、樹脂フィルム１の裏面（ＩＣチップ等が設けられていない側の面）或いは表面の金属製アンテナが存在しない部分でのヒートシールによりオーバーキャップに装着する場合には、比較的薄肉でよいが、嵌め込みなどによりキャップに装着する場合には、比較的厚肉とすることが必要である。このような観点から、樹脂フィルム１の厚みは、一般に、５乃至１０００μｍ程度の範囲とし、この範囲内で、装着形態に応じた厚みとすることが好適である。
また、図１４では、樹脂フィルム１は円板形状を有しているが、その取り付け形態や開封検出用アンテナ回路９の破断位置などに応じて適当な形状を有していればよく、円形である必要はない。
【産業上の利用可能性】
【００３９】
本発明の包装容器は、開封しない限りキャップを容器口部から取外すことができず、開封時にＩＣタグが確実に破壊され、優れた開封明示機能及び品質保証機能を発現できることから、特に内容物の詰め替え等による偽造販売のおそれがある高級酒等の包装容器として好適に使用することができる。
またＩＣタグとして開封検出用アンテナ回路を設けた場合には、開封後にも携帯電話などを用いてＩＣチップの情報を読み取ることができるため、懸賞等の各種キャンペーンを提供する場合等に有利に使用できる。
【符号の説明】
【００４０】
９  開封検出用アンテナ回路、１０  ＩＣタグ、２０  容器口部、３０  インナーキャップ、３１  頂板、３２  筒状壁、３６  切り欠き部、３７  係合部、３８  位置決め用リブ、３９  周方向突条、４０  オーバーキャップ、４１  頂壁パネル、４２  スカート、４４  ストッパーバンド、４６  突起、４７  スプリングタブ、４８  凸部、５０  係止突部。
【図１】
2014005036.tif 000003
【図２】
2014005036.tif 000004
【図３】
2014005036.tif 000005
【図４】
2014005036.tif 000006
【図５】
2014005036.tif 000007
【図６】
2014005036.tif 000008
【図７】
2014005036.tif 000009
【図８】
2014005036.tif 000010
【図９】
2014005036.tif 000011
【図１０】
2014005036.tif 000012
【図１１】
2014005036.tif 000013
【図１２】
2014005036.tif 000014
【図１３】
2014005036.tif 000015
【図１４】
2014005036.tif 000016